(57)【要約】  機械台よりも上方に設けられた固定部材に対して固定することができるエレベータ巻上機用機械台固定装置を得る。エレベータ巻上機用機械台固定装置は、昇降体の昇降を案内するとともに、巻上機を支持する機械台が載せられ上部が機械台に固定されるガイドレールと、ガイドレールの上部と機械台よりも上方で昇降路の壁に固定された固定部材とに渡って設けられる荷重支持部材とを備えている。
2019198206.tif 000002
【特許請求の範囲】
【請求項１】
昇降体の昇降を案内するとともに、巻上機を支持する機械台が載せられ上部が前記機械台に固定されるガイドレールと、
前記機械台または前記ガイドレールの上部と前記機械台よりも上方で昇降路の壁に固定された固定部材とに渡って設けられる荷重支持部材と
を備えているエレベータ巻上機用機械台固定装置。
【請求項２】
前記荷重支持部材は、前記機械台の幅方向について、前記機械台よりも外側に配置される請求項１に記載のエレベータ巻上機用機械台固定装置。
【請求項３】
前記荷重支持部材は、平板形状の基部を有し、
前記基部は、前記ガイドレールの背面に重ねられる請求項１または請求項２に記載のエレベータ巻上機用機械台固定装置。
【請求項４】
前記荷重支持部材は、平板形状の基部を有し、
前記基部は、前記機械台の側面に重ねられる請求項１または請求項２に記載のエレベータ巻上機用機械台固定装置。
【請求項５】
前記荷重支持部材の断面形状は、前記ガイドレールの断面形状と同一である請求項３または請求項４に記載のエレベータ巻上機用機械台固定装置。
【請求項６】
前記荷重支持部材は、断面Ｌ字形状または断面Ｈ字形状に形成されている請求項３または請求項４に記載のエレベータ巻上機用機械台固定装置。
【発明の詳細な説明】
【技術分野】
【０００１】
この発明は、昇降体の昇降を案内するガイドレールに機械台が載せられるエレベータ巻上機用機械台固定装置に関する。
【背景技術】
【０００２】
従来、昇降体の昇降を案内するガイドレールを備え、ガイドレールには、巻上機を支持する機械台が載せられるエレベータ巻上機用機械台固定装置が知られている。ガイドレールの上部は、昇降路の壁に設けられた固定部材に固定される。機械台は、ガイドレールに固定される（例えば、特許文献１参照）。
【先行技術文献】
【特許文献】
【０００３】
【特許文献１】特開２０００−７２４８号公報
【発明の概要】
【発明が解決しようとする課題】
【０００４】
しかしながら、昇降路の壁に設けられた固定部材が機械台よりも上方に配置されている場合には、ガイドレールの上部を固定部材に固定することができないという課題があった。【０００５】
この発明は、上述のような課題を解決するためになされたものであり、その目的は、機械台よりも上方に設けられた固定部材にガイドレールの上部を固定することができるエレベータ巻上機用機械台固定装置を提供するものである。
【課題を解決するための手段】
【０００６】
この発明に係るエレベータ巻上機用機械台固定装置は、昇降体の昇降を案内するとともに、巻上機を支持する機械台が載せられ上部が機械台に固定されるガイドレールと、機械台またはガイドレールの上部と機械台よりも上方で昇降路の壁に固定された固定部材とに渡って設けられる荷重支持部材とを備えている。
【発明の効果】
【０００７】
この発明に係るエレベータ巻上機用機械台固定装置によれば、機械台またはガイドレールの上部と固定部材とに渡って荷重支持部材が設けられる。これにより、機械台よりも上方に設けられた固定部材にガイドレールの上部を固定することができる。
【図面の簡単な説明】
【０００８】
【図１】この発明の実施の形態１に係るエレベータ巻上機用機械台固定装置を有するエレベータの要部を示す正面図である。
【図２】この発明の実施の形態２に係るエレベータ巻上機用機械台固定装置を示す正面図である。
【図３】この発明の実施の形態３に係るエレベータ巻上機用機械台固定装置を示す正面図である。
【図４】図３のエレベータ巻上機用機械台固定装置の要部を示す平面図である。
【図５】この発明の実施の形態４に係るエレベータ巻上機用機械台固定装置を示す正面図である。
【図６】図５のエレベータ巻上機用機械台固定装置を示す平面図である。
【図７】この発明の実施の形態５に係るエレベータ巻上機用機械台固定装置を示す正面図である。
【図８】この発明の実施の形態６に係るエレベータ巻上機用機械台固定装置を示す正面図である。
【図９】図８のエレベータ巻上機用機械台固定装置を示す平面図である。
【発明を実施するための形態】
【０００９】
実施の形態１．
図１は、この発明の実施の形態１に係るエレベータ巻上機用機械台固定装置を有するエレベータの要部を示す正面図である。エレベータは、昇降路１を昇降する昇降体である図示しないかごと、昇降路１を昇降する昇降体であるつり合いおもり２と、かごの昇降を案内する一対のガイドレール３と、つり合いおもり２の昇降を案内する一対のガイドレール４とを備えている。図１では、一対のガイドレール３の中の一方のガイドレール３を示している。一対のガイドレール４の中の一方は、一方のガイドレール３の近くに配置される。一対のガイドレール４の中の他方は、一方のガイドレール４よりも一方のガイドレール３から離れて配置される。一対のガイドレール４の中の一方のガイドレール４を第１ガイドレール４Ａとし、一対のガイドレール４の中の他方のガイドレール４を第２ガイドレール４Ｂとする。
【００１０】
また、エレベータは、かごおよびつり合いおもり２を支持する吊体であるロープ５と、ロープ５が巻き掛けられた巻上機６と、巻上機６を支持する機械台７とを備えている。巻上機６が駆動することによって、ロープ５が移動する。ロープ５が移動することによって、かごおよびつり合いおもり２は、昇降路１を互いに反対方向に昇降する。機械台７は、一対のガイドレール４のそれぞれに載せられる。したがって、上方から視た場合に、機械台７と一対のガイドレール４とは、互いに重ねられる。また、一対のガイドレール４のそれぞれの上部は、機械台７に固定される。一方のガイドレール３は、機械台７に固定される。
【００１１】
また、エレベータは、昇降路１の壁に固定された複数のブラケット８を備えている。複数のブラケット８は、高さ方向に間隔をおいて並べて配置される。図１では、複数のブラケット８の中で最も高い位置に配置されたブラケット８を示している。複数のブラケット８の中で最も高い位置に配置されたブラケット８を頂部ブラケット８Ａとする。
【００１２】
頂部ブラケット８Ａは、機械台７よりも上方で昇降路１の壁に固定された固定部材である。ガイドレール４の上部に対応する昇降路１の壁の部分には、ブラケット８が配置されていない。
【００１３】
また、エレベータは、第２ガイドレール４Ｂと頂部ブラケット８Ａとに渡って設けられる荷重支持部材９を備えている。また、エレベータは、荷重支持部材９を頂部ブラケット８Ａに固定する複数のレールクリップ１０と、荷重支持部材９を第２ガイドレール４Ｂの上部に固定する複数の締結具１１とを備えている。締結具１１は、ボルトおよびナットを有している。荷重支持部材９は、機械台７の幅方向について、機械台７よりも外側に配置される。一対のガイドレール４は、機械台７の幅方向について離れて配置される。
【００１４】
ブラケット８は、昇降路１の壁に固定される第１Ｌ字部材と、第１Ｌ字部材に固定される第２Ｌ字部材とを有している。レールクリップ１０は、ブラケット８の第２Ｌ字部材に設けられる。
【００１５】
また、エレベータは、昇降路１の壁に固定された複数のブラケット１２を備えている。複数のブラケット１２は、高さ方向に間隔をおいて並べて配置される。図１では、複数のブラケット１２の中で最も高い位置に配置されたブラケット１２を示している。複数のブラケット１２の中で最も高い位置に配置されたブラケット１２は、機械台７よりも上方で昇降路１の壁に固定される。
【００１６】
また、エレベータは、ガイドレール３をブラケット１２に固定する複数のレールクリップ１３を備えている。ガイドレール３の上部が最も高い位置に配置されたブラケット１２に固定され、第１ガイドレール４Ａの上部は、機械台７を介してガイドレール３の上部に固定される。これにより、第１ガイドレール４Ａの上部は、ブラケット８に固定される必要がない。
【００１７】
ブラケット１２は、ブラケット８と同様に、昇降路１の壁に固定される第１Ｌ字部材と、第１Ｌ字部材に固定される第２Ｌ字部材とを有している。レールクリップ１３は、ブラケット１２の第２Ｌ字部材に設けられる。
【００１８】
機械台７を昇降路１に対して固定するエレベータ巻上機用機械台固定装置は、一方のガイドレール３、一対のガイドレール４、複数のブラケット８、荷重支持部材９、複数のレールクリップ１０、複数の締結具１１、複数のブラケット１２および複数のレールクリップ１３から構成されている。
【００１９】
ガイドレール４は、断面Ｔ字形状に形成されている。荷重支持部材９は、断面Ｔ字形状に形成されている。また、荷重支持部材９は、断面形状がガイドレール４の断面形状と同一になっている。荷重支持部材９は、平板形状の基部１４と、基部１４に設けられたガイド部１５とを有している。ガイド部１５は、機械台７の幅方向について、基部１４よりも外側に配置される。基部１４は、第２ガイドレール４Ｂの背面に重ねられる。荷重支持部材９は、基部１４が第２ガイドレール４Ｂの背面に重ねられた状態で、第２ガイドレール４Ｂに固定される。基部１４は、複数のレールクリップ１０を用いて頂部ブラケット８Ａに固定される。
【００２０】
次に、エレベータ巻上機用機械台固定装置を用いて機械台７を昇降路１に対して固定する手順について説明する。まず、ブラケット１２を用いてガイドレール３が昇降路１の壁に固定され、ブラケット８を用いてガイドレール４が昇降路１の壁に固定される。
【００２１】
その後、一対のガイドレール４のそれぞれの上面に機械台７が載せられ、一方のガイドレール３および一対のガイドレール４に機械台７が固定される。
【００２２】
その後、締結具１１を用いて荷重支持部材９が第２ガイドレール４Ｂの上部に固定され、レールクリップ１０を用いて荷重支持部材９が頂部ブラケット８Ａに固定される。このとき、荷重支持部材９は、機械台７の幅方向について、機械台７よりも外側に配置される。以上により、機械台７が昇降路１に対して固定される。
【００２３】
以上説明したように、この発明の実施の形態１に係るエレベータ巻上機用機械台固定装置によれば、第２ガイドレール４Ｂの上部と頂部ブラケット８Ａとに渡って荷重支持部材９が設けられる。これにより、機械台７よりも上方に設けられた頂部ブラケット８Ａにガイドレール４の上部を固定することができる。
【００２４】
また、荷重支持部材９は、機械台７の幅方向について、機械台７よりも外側に配置される。これにより、機械台７における作業スペースが小さくなることを抑制することができる。その結果、作業者は、機械台７に巻上機６を容易に設置することができる。
【００２５】
また、荷重支持部材９は、平板形状の基部１４を有し、基部１４は、第２ガイドレール４Ｂの背面に重ねられる。これにより、荷重支持部材９は、第２ガイドレール４Ｂに容易に固定される。
【００２６】
また、荷重支持部材９の断面形状は、第２ガイドレール４Ｂの断面形状と同一である。これにより、荷重支持部材９が容易に形成される。
【００２７】
実施の形態２．
図２は、この発明の実施の形態２に係るエレベータ巻上機用機械台固定装置を示す正面図である。荷重支持部材９は、機械台７と頂部ブラケット８Ａとに渡って設けられている。荷重支持部材９は、締結具１１を用いて機械台７に固定される。基部１４は、機械台７の側面に重ねられる。荷重支持部材９は、基部１４が機械台７の側面に重ねられた状態で、機械台７に固定される。その他の構成は、実施の形態１と同様である。
【００２８】
以上説明したように、この発明の実施の形態２に係るエレベータ巻上機用機械台固定装置によれば、機械台７と頂部ブラケット８Ａとに渡って荷重支持部材９が設けられる。これにより、機械台７よりも上方に設けられた頂部ブラケット８Ａにガイドレール４の上部を固定することができる。
【００２９】
また、荷重支持部材９は、平板形状の基部１４を有し、基部１４は、機械台７の側面に重ねられる。これにより、荷重支持部材９は、機械台７に容易に固定される。
【００３０】
実施の形態３．
図３は、この発明の実施の形態３に係るエレベータ巻上機用機械台固定装置を示す正面図、図４は、図３のエレベータ巻上機用機械台固定装置の要部を示す平面図である。エレベータ巻上機用機械台固定装置は、断面Ｔ字形状の荷重支持部材９の代わりに断面Ｌ字形状の荷重支持部材１６を備えている。
【００３１】
荷重支持部材１６は、平板形状の基部１７と、基部１７に設けられた垂直部１８とを有している。垂直部１８は、基部１７から垂直の方向に延びている。垂直部１８は、機械台７の幅方向について、基部１７よりも外側に配置される。垂直部１８は、機械台７の奥行方向について、基部１７の奥側の部分に接続される。基部１７は、第２ガイドレール４Ｂの背面に重ねられる。荷重支持部材１６は、基部１７が第２ガイドレール４Ｂの背面に重ねられた状態で、第２ガイドレール４Ｂに固定される。荷重支持部材１６は、複数の締結具１１を用いて第２ガイドレール４Ｂの上部に固定される。
【００３２】
エレベータ巻上機用機械台固定装置は、複数のレールクリップ１０の代わりに複数の締結具１９を備えている。基部１７は、複数の締結具１９を用いて頂部ブラケット８Ａに固定される。締結具１９は、ボルトおよびナットを有している。
【００３３】
荷重支持部材１６は、上方から視た場合に垂直部１８とドア装置の移動領域Ｄとの間に隙間Ｇが形成されるように配置される。したがって、荷重支持部材１６は、ドア装置の移動領域Ｄから離れるように配置される。荷重支持部材１６は、機械台７の幅方向について、機械台７よりも外側に配置される。その他の構成は、実施の形態１と同様である。
【００３４】
以上説明したように、この発明の実施の形態３に係るエレベータ巻上機用機械台固定装置によれば、荷重支持部材１６は、断面Ｌ字形状に形成されている。これにより、荷重支持部材１６が容易に形成される。
【００３５】
なお、上記実施の形態３では、荷重支持部材１６が第２ガイドレール４Ｂの上部に固定される構成について説明した。これに対して、実施の形態２のように、荷重支持部材１６が機械台７の側面に固定される構成であってもよい。
【００３６】
また、上記実施の形態３では、荷重支持部材１６が断面Ｌ字形状に形成された構成について説明した。これに対して、荷重支持部材１６が断面Ｈ字形状に形成された構成であってもよい。この場合、荷重支持部材１６は、ドア装置の移動領域Ｄから離れるように切欠部が形成されてもよい。
【００３７】
実施の形態４．
図５は、この発明の実施の形態４に係るエレベータ巻上機用機械台固定装置を示す正面図、図６は、図５のエレベータ巻上機用機械台固定装置を示す平面図である。昇降路１の壁に対して複数の建築梁２０が固定されている。複数の建築梁２０は、各階に対応して高さ方向に間隔をおいて並べて配置されている。図５では、複数の建築梁２０の中で最も高い位置に配置された建築梁２０と、２番目に高い位置に配置された建築梁２０を示している。
【００３８】
複数の建築梁２０の中で最も高い位置に配置された建築梁２０を頂部建築梁２０Ａとする。頂部建築梁２０Ａは、機械台７よりも上方で昇降路１の壁に固定された固定部材である。ガイドレール４の上部に対応する昇降路１の壁の部分には、建築梁２０が配置されていない。建築梁２０は、断面Ｈ字形状に形成されている。
【００３９】
荷重支持部材９は、複数のレールクリップ１０を用いて頂部建築梁２０Ａに固定される。レールクリップ１０は、頂部建築梁２０Ａに固定されたＬ字部材に設けられる。基部１４は、複数のレールクリップ１０を用いて頂部建築梁２０Ａに固定される。その他の構成は、実施の形態１と同様である。
【００４０】
以上説明したように、この発明の実施の形態４に係るエレベータ巻上機用機械台固定装置によれば、第２ガイドレール４Ｂの上部と頂部建築梁２０Ａとに渡って荷重支持部材９が設けられる。これにより、機械台７よりも上方に設けられた頂部建築梁２０Ａに第２ガイドレール４Ｂの上部を固定することができる。
【００４１】
実施の形態５．
図７は、この発明の実施の形態５に係るエレベータ巻上機用機械台固定装置を示す正面図である。荷重支持部材９は、機械台７と頂部建築梁２０Ａとに渡って設けられている。荷重支持部材９は、締結具１１を用いて機械台７に固定される。基部１４は、機械台７の側面に重ねられる。荷重支持部材９は、基部１４が機械台７の側面に重ねられた状態で、機械台７に固定される。その他の構成は、実施の形態４と同様である。
【００４２】
以上説明したように、この発明の実施の形態５に係るエレベータ巻上機用機械台固定装置によれば、機械台７と頂部建築梁２０Ａとに渡って荷重支持部材９が設けられる。これにより、機械台７よりも上方に設けられた頂部建築梁２０Ａにガイドレール４の上部を固定することができる。
【００４３】
実施の形態６．
図８は、この発明の実施の形態６に係るエレベータ巻上機用機械台固定装置を示す正面図、図９は、図８のエレベータ巻上機用機械台固定装置を示す平面図である。エレベータ巻上機用機械台固定装置は、断面Ｔ字形状の荷重支持部材９の代わりに断面Ｈ字形状の荷重支持部材２１を備えている。
【００４４】
荷重支持部材２１は、平板形状の基部２２と、基部２２に設けられた垂直部２３と、基部２２に対向して設けられた対向部２４とを有している。垂直部２３は、基部２２から垂直の方向に延びている。垂直部２３は、機械台７の幅方向について、基部２２よりも外側に配置される。垂直部２３は、機械台７の奥行方向について、基部２２の中央部分に接続される。対向部２４は、機械台７の幅方向について、垂直部２３よりも外側に配置される。対向部２４は、垂直部２３における基部２２とは反対側の部分に接続される。
【００４５】
基部２２は、第２ガイドレール４Ｂの背面に重ねられる。荷重支持部材２１は、基部２２が第２ガイドレール４Ｂの背面に重ねられた状態で、第２ガイドレール４Ｂに固定される。荷重支持部材２１は、複数の締結具１１を用いて第２ガイドレール４Ｂの上部に固定される。
【００４６】
荷重支持部材２１は、機械台７の幅方向について、機械台７よりも外側に配置される。垂直部２３および対向部２４には、ドア装置の移動領域Ｄから離れるように、切欠部２５が形成されている。
【００４７】
荷重支持部材２１は、複数のレールクリップ１０を用いて頂部建築梁２０Ａに固定される。荷重支持部材２１は、機械台７の幅方向について、荷重支持部材２１よりも外側に配置された頂部建築梁２０Ａに固定される。レールクリップ１０は、頂部建築梁２０Ａに固定されたＬ字部材に設けられる。対向部２４は、複数のレールクリップ１０を用いて頂部建築梁２０Ａに固定される。その他の構成は、実施の形態４と同様である。
【００４８】
以上説明したように、この発明の実施の形態６に係るエレベータ巻上機用機械台固定装置によれば、荷重支持部材２１は、断面Ｈ字形状に形成されている。これにより、荷重支持部材２１が容易に形成される。
【００４９】
また、荷重支持部材２１には、ドア装置の移動領域Ｄから離れるように、切欠部２５が形成されている。これにより、荷重支持部材２１がドア装置に当たることを防止することができる。
【００５０】
なお、上記実施の形態６では、荷重支持部材２１が第２ガイドレール４Ｂの上部に固定される構成について説明した。これに対して、実施の形態５のように、荷重支持部材２１が機械台７の側面に固定される構成であってもよい。
【００５１】
また、上記実施の形態６では、荷重支持部材２１が断面Ｈ字形状に形成された構成について説明した。これに対して、荷重支持部材２１が断面Ｌ字形状に形成された構成であってもよい。この場合、荷重支持部材２１は、ドア装置の移動領域Ｄから離れるように配置される。
【００５２】
また、各上記実施の形態では、機械台７がガイドレール４に載せられる構成について説明した。これに対して、機械台７がガイドレール３に載せられる構成であってもよい。この場合、機械台７またはガイドレール３の上部と機械台７よりも上方で昇降路の壁に固定された固定部材とに渡って荷重支持部材が設けられる。
【符号の説明】
【００５３】
１  昇降路、２  つり合いおもり、３  ガイドレール、４  ガイドレール、４Ａ  第１ガイドレール、４Ｂ  第２ガイドレール、５  ロープ、６  巻上機、７  機械台、８  ブラケット、８Ａ  頂部ブラケット、９  荷重支持部材、１０  レールクリップ、１１  締結具、１２  ブラケット、１３  レールクリップ、１４  基部、１５  ガイド部、１６  荷重支持部材、１７  基部、１８  垂直部、１９  締結具、２０  建築梁、２０Ａ  頂部建築梁、２１  荷重支持部材、２２  基部、２３  垂直部、２４  対向部、２５  切欠部。
【図１】
2019198206.tif 000003
【図２】
2019198206.tif 000004
【図３】
2019198206.tif 000005
【図４】
2019198206.tif 000006
【図５】
2019198206.tif 000007
【図６】
2019198206.tif 000008
【図７】
2019198206.tif 000009
【図８】
2019198206.tif 000010
【図９】
2019198206.tif 000011
【手続補正書】
【提出日】令和1年12月6日(2019.12.6)
【手続補正１】
【補正対象書類名】明細書
【補正対象項目名】０００６
【補正方法】変更
【補正の内容】
【０００６】
この発明に係るエレベータ巻上機用機械台固定装置は、昇降体の昇降を案内するとともに、巻上機を支持する機械台が載せられ上部が機械台に固定されるガイドレールと、機械台またはガイドレールの上部と機械台よりも上方で昇降路の壁に固定された固定部材とに渡って設けられる荷重支持部材とを備え、荷重支持部材は、機械台の幅方向について、機械台よりも外側に配置されており、固定部材は、ガイドレールが機械台に固定される位置と異なる位置に配置されている。
【手続補正２】
【補正対象書類名】特許請求の範囲
【補正対象項目名】全文
【補正方法】変更
【補正の内容】
【特許請求の範囲】
【請求項１】
昇降体の昇降を案内するとともに、巻上機を支持する機械台が載せられ上部が前記機械台に固定されるガイドレールと、
前記機械台または前記ガイドレールの上部と前記機械台よりも上方で昇降路の壁に固定された固定部材とに渡って設けられる荷重支持部材と
を備え、
前記荷重支持部材は、前記機械台の幅方向について、前記機械台よりも外側に配置されており、
前記固定部材は、前記ガイドレールが前記機械台に固定される位置と異なる位置に配置されているエレベータ巻上機用機械台固定装置。
【請求項２】
前記荷重支持部材は、平板形状の基部を有し、
前記基部は、前記ガイドレールの背面に重ねられる請求項１に記載のエレベータ巻上機用機械台固定装置。
【請求項３】
前記荷重支持部材は、平板形状の基部を有し、
前記基部は、前記機械台の側面に重ねられる請求項１に記載のエレベータ巻上機用機械台固定装置。
【請求項４】
前記荷重支持部材の断面形状は、前記ガイドレールの断面形状と同一である請求項２または請求項３に記載のエレベータ巻上機用機械台固定装置。
【請求項５】
前記荷重支持部材は、断面Ｌ字形状または断面Ｈ字形状に形成されている請求項２または請求項３に記載のエレベータ巻上機用機械台固定装置。
【国際調査報告】
2019198206.tif 000012
2019198206.tif 000013